(57)【要約】      （修正有）【課題】小さな力で牛の鼻環を取り付けることのできる牛の鼻環取付具を提供する。【解決手段】牛の鼻環の一方の半部を保持する円弧状の第１保持部１１０ａと、牛の鼻環の他方の半部を保持する円弧状の第２保持部１１０ｂと、を具備した保持機構１１０と、保持機構とは別体に構成されて保持機構の後端側に設けられ、第１軸部において先端側が第１保持部材と回動自在に軸止され後端側に向けて棒状に伸びる第１レバー部材１２１ａと、第２軸部において先端側が第２保持部材と回動自在に軸止され後端側に向けて棒状に伸びる第２レバー部材１２１ｂとを具備したレバー機構１２０と、保持機構とレバー機構との間に設けられ、レバー機構の開閉操作の動きを、減速して伝達し保持機構を開閉するリンク機構１３０とを具備した。【選択図】図１
0003224761.tif 000002
【実用新案登録請求の範囲】
【請求項１】
樹脂からＣ字状に構成され、一端に矢尻状の突き刺し部を有し、他端に前記突き刺し部を収容して係止する係止部を有する牛の鼻環を、牛の鼻に取り付ける牛の鼻環取付具であって、
前記牛の鼻環の一方の半部を保持する円弧状の第１保持部と、前記牛の鼻環の他方の半部を保持する円弧状の第２保持部と、を具備した保持機構と、
前記保持機構とは別体に構成されて前記保持機構の後端側に設けられ、第１軸部において先端側が前記第１保持部材と回動自在に軸支され後端側に向けて棒状に伸びる第１レバー部材と、第２軸部において先端側が前記第２保持部材と回動自在に軸支され後端側に向けて棒状に伸びる第２レバー部材と、を具備したレバー機構と、
前記保持機構と前記レバー機構との間に設けられ、前記レバー機構の開閉操作の動きを、減速して伝達し前記保持機構を開閉するリンク機構と、
を具備したことを特徴とする牛の鼻環取付具。
【請求項２】
前記リンク機構は、前記保持機構及び前記レバー機構を間に挟む一対の支持板を有し、
前記第１保持部は、前記第１軸部より先端側に設けられた第３軸部において前記支持板に回動自在に軸支されており、
前記第２保持部は、前記第２軸部より先端側に設けられた第４軸部において前記支持板に回動自在に軸支されている
ことを特徴とする請求項１記載の牛の鼻環取付具。
【請求項３】
前記第１保持部は、後端側に延在する第１リンク部を有し、前記第１軸部は、当該第１リンク部の後端側に、前記第３軸部は、当該第１リンク部の先端側に設けられており、
前記第２保持部は、後端側に延在する第２リンク部を有し、前記第２軸部は、当該第２リンク部の後端側に、前記第４軸部は、当該第２リンク部の先端側に設けられている
ことを特徴とする請求項２記載の牛の鼻環取付具。
【請求項４】
前記第１レバー部材は、先端側に前記第２レバー部材側に突出する第１の突出部を有し、
前記第２レバー部材は、先端側に前記第１レバー部材側に突出する第２の突出部を有し、
前記第１の突出部及び前記第２の突出部に設けられた第５軸部において、前記第１レバー部材と前記第２レバー部材とが回動自在に軸支されている
ことを特徴とする請求項３に記載の牛の鼻環取付具。
【請求項５】
前記レバー機構の開操作の動きによって前記第５軸部は後端側移動し、前記第１リンク部及び前記第２リンク部の後端側が近接するように移動して、前記保持機構を開き、
前記レバー機構の閉操作の動きによって前記第５軸部は先端側移動し、前記第１リンク部及び前記第２リンク部の後端側が離間するように移動して、前記保持機構を閉じ、
前記支持板には、前記第５軸部の移動をガイドする、長孔が設けられている
ことを特徴とする請求項４記載の牛の鼻環取付具。
【請求項６】
前記第１保持部は、内周部に前記牛の鼻環を保持するための第１保持溝を有し、
前記第２保持部は、内周部に前記牛の鼻環を保持するための第２保持溝を有する
ことを特徴とする請求項１乃至５のいずれか項に記載の牛の鼻環取付具。
【考案の詳細な説明】
【技術分野】
【０００１】
本考案は、牛の鼻環を牛の鼻に装着するための牛の鼻環取付具に関する。
【背景技術】
【０００２】
牛の飼育を行う畜産業においては、牛の識別のためや、牛の動きを制御するロープ等を取り付けるために、牛の鼻にリング状の部材（以下、牛の鼻環という。）を取付けることが行われている。
【０００３】
また、上記牛の鼻環としては、Ｃ字状の樹脂製のものが知られている。この牛の鼻環は、一端に矢尻状の突き刺し部が形成され、他端に突き刺し部を収容しこれを強固に係止する係止部が設けられている。そして、係る構造の牛の鼻環を、鼻中隔を境とする牛の左右の鼻孔に挿入し、Ｃ字状の開口部を閉じるように圧縮することにより、突き刺し部が鼻中隔を突き破って係止部に挿入、係止され、リング状の牛の鼻環が取り付けられる。
【０００４】
上記の牛の鼻環の取り付けには、牛の鼻環取付具が用いられる。この牛の鼻環取付具としては、先端側にＣ字状の牛の鼻環を係止するための半円状の保持部を有する左右一対のレバーを、ペンチ等の工具と同様に１つの軸によって回動自在に軸支し、この一対のレバーを開閉することによって、牛の鼻環を取り付ける構成のものが知られている。
【先行技術文献】
【特許文献】
【０００５】
【特許文献１】特開２０１６−７７２１０号
【考案の概要】
【考案が解決しようとする課題】
【０００６】
上記のように、先端側に牛の鼻環の保持部を有する左右一対のレバーから構成される従来の牛の鼻環取付具では、例えば、全長を３０〜３５ｃｍ程度と長くしても、レバーを閉じて牛の鼻環を取り付ける際に、例えば、１５Ｋｇ以上の大きな荷重を必要とし、特に多数の牛に牛の鼻環を取り付ける場合等において多大な労力が必要となる、と言う課題があった。
【０００７】
そこで、本考案の目的は、従来に比べて小さな力で牛の鼻環を取り付けることのできる牛の鼻環取付具を提供することにある。
【課題を解決するための手段】
【０００８】
本考案に係る牛の鼻環取付具は、樹脂からＣ字状に構成され、一端に矢尻状の突き刺し部を有し、他端に前記突き刺し部を収容して係止する係止部を有する牛の鼻環を、牛の鼻に取り付ける牛の鼻環取付具であって、前記牛の鼻環の一方の半部を保持する円弧状の第１保持部と、前記牛の鼻環の他方の半部を保持する円弧状の第２保持部と、を具備した保持機構と、前記保持機構とは別体に構成されて前記保持機構の後端側に設けられ、第１軸部において先端側が前記第１保持部材と回動自在に軸止され後端側に向けて棒状に伸びる第１レバー部材と、第２軸部において先端側が前記第２保持部材と回動自在に軸止され後端側に向けて棒状に伸びる第２レバー部材と、を具備したレバー機構と、前記保持機構と前記レバー機構との間に設けられ、前記レバー機構の開閉操作の動きを、減速して伝達し前記保持機構を開閉するリンク機構と、を具備したことを特徴とする牛の鼻環取付具。
【図面の簡単な説明】
【０００９】
【図１】実施形態に係る牛の鼻環取付具の概略構成を示す図。
【図２】図１の牛の鼻環取付具を開いた状態の要部概略構成を示す図。
【図３】牛の鼻環の例を示す図。
【考案を実施するための形態】
【００１０】
以下、図面を参照して、実施形態に係る牛の鼻環取付具について説明する。この牛の鼻環取付具は、図３に一例を示すように、樹脂からＣ字状に構成され、一端に矢尻状の突き刺し部２０１を有し、他端に突き刺し部を収容して係止する係止部２０２を有する牛の鼻環２００を、牛の鼻に取り付けるためのものである。なお、図３において、２０３は、突き刺し部２０１側を牛の鼻環取付具の端部に係止させるための係止溝である。
【００１１】
図１，２は、実施形態に係る牛の鼻環取付具１００の概略構成を示す図であり、図１は閉じた状態を示し、図２は、開いた状態の要部構成を示している。なお、図１，２では、後述するリンク機構１３０の支持板１３１の一方（表面側）の図示を省略しリンク機構１３０の構造が見えるように図示されている。図１，２に示すように、牛の鼻環取付具１００は、先端側（図中上側）に、円弧状とされた左右一対の第１保持部１１０ａと、第２保持部１１０ｂとを具備した保持機構１１０を有している。
【００１２】
第１保持部１１０ａは、牛の鼻環の一方の半部（本実施形態では図３に示した係止部２０２側半部）を係止する構成となっており、その内側には牛の鼻環を保持するための第１保持溝１１１ａを有する。この第１保持部１１０ａには、後端側（図中下側）に延在する第１リンク部１１２ａが設けられている。
【００１３】
第２保持部１１０ｂは、牛の鼻環の他方の半部（本実施形態では図３に示した突き刺し部２０１側半部）を係止する構成となっており、その内側には牛の鼻環を保持するための第２保持溝１１１ｂを有する。この第２保持部１１０ｂには、後端側（図中下側）に延在する第２リンク部１１２ｂが設けられている。
【００１４】
また、牛の鼻環取付具１００は、上記した保持機構１１０とは別体に構成されたレバー機構１２０を具備している。レバー機構１２０は、保持機構１１０の後端側（図中下側）に設けられている。また、レバー機構１２０は、一対の第１レバー部材１２１ａと第２レバー部材１２１ｂとを具備している。第１レバー部材１２１ａと第２レバー部材１２１ｂは、後端側（図中下側）に向けて棒状に伸びる構成とされている。
【００１５】
第１レバー部材１２１ａは、その先端側（図中上側）の端部近傍において、第１保持部１１０ａの後端側（図中下側）に延在する第１リンク部１１２ａに第１軸部１５１により、回動自在に軸支されている。また、第２レバー部材１２１ｂは、その先端側（図中上側）の端部近傍において、第２保持部１１０ｂの後端側（図中下側）に延在する第２リンク部１１２ｂに第２軸部１５２により、回動自在に軸支されている。
【００１６】
保持機構１１０とレバー機構１２０との間には、レバー機構１２０の開閉操作の動きを、減速（増力（倍力））して保持機構１１０に伝達するリンク機構１３０が設けられている。リンク機構１３０は、保持機構１１０及びレバー機構１２０を間に挟むように配設された一対の支持板１３１を有している。なお、前述したとおり、図１，２では、表面側の支持板１３１の図示を省略しリンク機構１３０の構造が見えるように図示されている。
【００１７】
リンク機構１３０において、第１保持部１１０ａは、第１軸部１５１より先端側（図中上側）に設けられた第３軸部１５３において支持板１３１に回動自在に軸支されている。また、第２保持部１１０ｂは、第２軸部１５２より先端側（図中上側）に設けられた第４軸部１５４において支持板１３１に回動自在に軸支されている
【００１８】
リンク機構１３０において、第１レバー部材１２１ａは、先端側（図中上側）に第２レバー部材１２１ｂ側に突出する第１の突出部１２２ａを有し、第２レバー部材１２１ｂは、先端側（図中上側）に第１レバー部材１２１ａ側に突出する第２の突出部１２２ｂを有している。そして、第１の突出部１２２ａ及び第２の突出部１２２ｂに設けられた第５軸部１５５において、第１レバー部材１２１ａと第２レバー部材１２１ｂとが回動自在に軸支されている。
【００１９】
リンク機構１３０において、支持板１３１には、上記した第５軸部１５５の移動をガイドする、長孔１３２が設けられている。また、支持板１３１には、表裏の支持板１３１を固定するためのねじを挿通させるための円孔１３３が設けられている。
【００２０】
上記構成のリンク機構１３０において、第５軸部１５５は、レバー機構１２０の開操作の動きによって後端側（図中下側）に移動し、第１リンク部１１２ａ及び第２リンク部１１２ｂの後端側（図中下側）が近接するように移動して、保持機構１１０を開く（図２参照）。また、第５軸部１５５は、開いた状態からのレバー機構１２０の閉操作の動きによって先端側（図中上側）移動し、第１リンク部１１２ａ及び第２リンク部１１２ｂの後端側図中下側）が離間するように移動して、保持機構１１０を閉じる。支持板１３１の長孔１３２は、この時の第５軸部１５５の移動をガイドする。
【００２１】
上記のように、本実施形態の牛の鼻環取付具１００では、保持機構１１０とレバー機構１２０とが一体ではなく、別体に構成されており、これらの間には、レバー機構１２０の開閉操作の動きを、減速（増力（倍力））して保持機構１１０に伝達するリンク機構１３０が設けられている。したがって、保持機構とレバー機構とが一体とされている従来の製品に比べて、レバー機構１２０の大きな動きを、より小さな保持機構１１０の動きに変換（減速）することができる。これによって、従来製品に比べて、より小さな力で牛の鼻環を取り付けることができる。
【００２２】
常温下において、牛の鼻環の取付に必要な荷重を従来製品（先端側に牛の鼻環の保持部を有する左右一対のレバーを、１つの軸によって回動自在に軸支した製品）と本実施形態の牛の鼻環取付具１００とで比較しところ、従来製品は１７Ｋｇであったのに対して、本実施形態の牛の鼻環取付具１００は、５．３Ｋｇであった。またマイナス２０℃における測定では、従来製品は２５Ｋｇであったのに対して、本実施形態の牛の鼻環取付具１００は、５．９Ｋｇであった。なお、従来製品と本実施形態の牛の鼻環取付具１００の全長は略同じ（約３４ｃｍ）であった。
【００２３】
以上のように、本実施形態の牛の鼻環取付具１００では、牛の鼻環の取付に必要な荷重を従来製品の１／３〜１／４にすることができる。換言すれば、牛の鼻環の取付部分に作用する荷重を従来製品の３〜４倍にすることができる。
【００２４】
以上、本考案のいくつかの実施形態を説明したが、これらの実施形態は、例として提示したものであり考案の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、考案の範囲や要旨に含まれるとともに、実用新案登録請求の範囲に記載された考案とその均等の範囲に含まれる。
【符号の説明】
【００２５】
１００……牛の鼻環取付具、１１０……保持機構、１１０ａ……第１保持部、１１０ｂ……第２保持部、１１１ａ……第１保持溝、１１１ｂ……第２保持溝、１１２ａ……第１リンク部、１１２ｂ……第２リンク部、１２０……レバー機構、１２１ａ……第１レバー部材、１２１ｂ……第２レバー部材、１２２ａ……第１突出部、１２２ｂ……第２突出部、１３０……リンク機構、１３１……支持板、１３２……長孔、１３３……円孔、１５１……第１軸部、１５２……第２軸部、１５３……第３軸部、１５４……第４軸部、１５５……第５軸部。
【図１】
0003224761.tif 000003
【図２】
0003224761.tif 000004
【図３】
0003224761.tif 000005